(57)【要約】【課題】  取付工事が極めて簡単で、確実に運転者などの注意を喚起でき、しかも安価に製造できるスパイラル巻着式注意喚起材と、その製造方法を提供する。【解決手段】  合成樹脂又はゴム等の弾性素材で作製された長尺のベルト部材であって、このベルト部材１の外側面11には反射部２を有し、かつ、当該ベルト部材の隣接する側辺同士は復元弾力により互いに接近してスパイラル筒体形状を成すごとくカール癖が付与されて、対象とする柱体Ｐにベルト部材１を螺旋状に巻き付けたとき、当該ベルト部材１の内側面12が当該柱体Ｐの表面にフィットして添合可能に構成するという技術的手段を採用した。【選択図】  図２
2006018088.tif 000002
【特許請求の範囲】
【請求項１】
柱体Ｐに巻き付けて着装することにより運転者等に注意を喚起して衝突を防止するための合成樹脂又はゴム等の弾性素材で作製された長尺のベルト部材であって、
このベルト部材１の外側面11には反射部２を有し、かつ、当該ベルト部材の隣接する側辺同士は復元弾力により互いに接近してスパイラル円筒形状を成すごとくカール癖が付与されて、対象とする柱体Ｐにベルト部材１を螺旋状に巻き付けたとき、当該ベルト部材１の内側面12が当該柱体Ｐの表面にフィットして添合可能であることを特徴とするスパイラル巻着式注意喚起材。
【請求項２】
反射部２として、テープ状の高輝度反射材がベルト部材１の表面に付着されていることを特徴とする請求項１記載の、スパイラル巻着式注意喚起材。
【請求項３】
ベルト部材１の内側面12に、感圧接着剤を層着した両面テープが付着されており、当該両面テープの剥離紙を剥ぎ取って柱体Ｐに巻き付けることにより、当該柱体の周面に接着可能であることを特徴とする請求項１または２記載の、スパイラル巻着式注意喚起材。
【請求項４】
ベルト部材１のチップ1a近傍に第１止め部13ａと、このベルト部材１を対象とする柱体Ｐに巻付けた際に前記第１止着部13ａが対向すべき当該ベルト部材の締め込み対向部位とに第２止め部13ｂを各々設けて、これら第１止め部13ａと第２止め部13ｂとを締付部品３で互いに緊締するように構成したことを特徴とする請求項１または２記載の、スパイラル巻着式注意喚起材。
【請求項５】
ベルト部材１の第１止め部13ａが下縁近傍に形成されている一方、第２止め部13ｂが上縁近傍に形成されており、当該ベルト部材１を柱体Ｐの表面に螺旋状に巻き付けたとき、締付部材３が略水平に配置できるように構成したことを特徴とする請求項１もしくは２、または請求項４記載の、スパイラル巻着式注意喚起材。
【請求項６】
ベルト部材１における第１止め部13ａおよび第２止め部13ｂが、バンド状の締付部材３を掛止する止孔に形成されており、これら両孔に締付部品３を掛止して締め付けることにより、ベルト部材１を柱体Ｐの周面に固定できるように構成したことを特徴とする請求項１もしくは２、または請求項４もしくは５記載の、スパイラル巻着式注意喚起材。
【請求項７】
ベルト部材１の外側面11に小突起が多数形成されており、張紙等の貼付を阻止可能であることを特徴とする請求項１〜６の何れか一つに記載の、スパイラル巻着式注意喚起材。
【請求項８】
合成樹脂又はゴム等の弾性素材から成る円筒体Ａの胴周外面に反射材２′を螺旋状に付着せしめる工程と、この反射材２′が螺旋状に付着した円筒体Ａを当該胴周外面の反射材２′と反射材２′との間に沿ってコイル形に切開する工程とを経ることにより、元の円筒体形状に復帰するカール癖を帯有し、かつ、外表面には略全長にわたる反射部２を備えたベルト部材１を製することを特徴とするスパイラル巻着式注意喚起材の製造方法。
【請求項９】
胴周外面の所要部位に反射テープ２′が層着された合成樹脂又はゴム等の弾性素材から成る円筒体Ａの前記胴周全長にわたって切開部Ｃをスパイラル状に刻設すると共に、この切開部Ｃに沿って当該円筒体を切り裂くことにより、元の円筒体形状に復帰するカール癖を帯有し、かつ、長尺の反射部２を外表面に備えたベルト部材１を得ることを特徴とするスパイラル巻着式注意喚起材の製造方法。
【請求項１０】
螺旋状に反射材２′が付着した円筒体Ａを当該胴周外面の反射材２′と反射材２′との間に沿ってコイル形に切開した後、得られたベルト部材１のチップ1aの近傍には第１止め部13ａを設ける一方、このベルト部材１を対象となる柱体Ｐに巻付けた際に前記第１止め部13ａが対向すべき当該ベルト部材の締め込み対向部位には第２止め部13ｂを設けることを特徴とする請求項８または９記載の、スパイラル巻着式注意喚起材の製造方法。
【請求項１１】
使用対象となる柱体Ｐの径よりも小なる径の円筒体Ａを切開して巻締めカール癖の強いベルト部材１を得ることを特徴とする請求項８〜１０の何れか一つに記載の、スパイラル巻着式注意喚起材の製造方法。
【請求項１２】
合成樹脂又はゴム等の弾性素材から成る円筒体Ａの外表面周方向へ反射材２′を螺旋状に付着せしめる工程と、この反射材２′が螺旋状に付着した円筒体Ａを当該胴周外面の反射材２′と反射材２′との間に沿ってコイル形に切開する工程と、コイル形に切開された長尺帯材の内側面に感圧接着剤が層着された両面テープを付着せしめる工程とを経ることにより、元の円筒体形状に復帰するカール癖を帯有し、かつ、長尺の反射部２を外表面に備えたベルト部材１を得ることを特徴とするスパイラル巻着式注意喚起材の製造方法。
【発明の詳細な説明】
【技術分野】
【０００１】
本発明は、電柱等の柱体に巻き付けて使用する交通安全用の注意喚起材の改良、さらに詳しくは、取付工事が極めて簡単で、確実に運転者などの注意を喚起でき、しかも安価に製造できるスパイラル巻着式注意喚起材と、その製造方法に関するものである。
【背景技術】
【０００２】
周知のとおり、路上には電柱が多数設置されており、衝突事故も多い。そこで、従来、かゝる電柱などへの自動車の衝突を防止するために、高輝度反射材などを付設して注意を喚起するためのカバー部材が開示されている（例えば、特許文献１参照）。
【０００３】
しかしながら、かゝる従来のカバー部材は、常態では平板状を成している。それゆえ、電柱等への取付作業においても、材料固有の反発弾性があって一人では取り付けることができないため作業能率は低く、また、運搬にも嵩張って不便という問題があった。
【０００４】
また、従来のカバー部材は、構造的にも止着バンドだけで締め付けて支持すると重量が集中して負担が大きいため、この止着バンドが破断したり、あるいは緩んでカバー部材がズリ落ちてしまうおそれもあった。
【０００５】
一方また、電柱に巻き付けて使用する方式のバンド状の標識も開示されているけれども（例えば、特許文献２参照）、かゝる標識が効果を発揮するのには数量が必要であるし、柱体に固定するためには端部同士をバックル状の留め具で止着せねばならず、作業の手間が要するし、この部品コストも嵩むという不満がある。
【特許文献１】実開昭60−161389号公報  （第１頁、第１−３図）
【特許文献２】特開2001−348823号公報  （第３−５頁、図１−３）
【発明の開示】
【発明が解決しようとする課題】
【０００６】
本発明は、従来の電柱などに巻き付ける注意喚起材に上記のような問題があったことに鑑みて為されたものであり、取付作業が非常に簡単であって、かつ、運転者などに確実に注意を喚起することができるスパイラル巻着式注意喚起材を提供すると共に、製造コストを低く抑えることができる合理的なその製造方法を提供することを技術的課題とする。
【課題を解決するための手段】
【０００７】
本発明者が上記課題を解決するために採用した手段を、添付図面を参照して説明すれば次のとおりである。
【０００８】
即ち、本発明は、柱体Ｐに巻き付けて着装することにより運転者等に注意を喚起して衝突を防止するための合成樹脂又はゴム等の弾性素材で作製された長尺のベルト部材であって、このベルト部材１の外側面11には反射部２を有し、かつ、当該ベルト部材の隣接する側辺同士は復元弾力により互いに接近してスパイラル筒体形状を成すごとくカール癖が付与されて、対象とする柱体Ｐにベルト部材１を螺旋状に巻き付けたとき、当該ベルト部材１の内側面12が当該柱体Ｐの表面にフィットして添合可能に構成するという技術的手段を採用することによって、スパイラル巻着式注意喚起材を完成させた。
【０００９】
また、本発明は、上記課題を解決するため、必要に応じて上記手段に加え、テープ状の高輝度反射材２をベルト部材１の表面に付着するという技術的手段を採用する。
【００１０】
また、本発明は、上記課題を解決するため、必要に応じて上記手段に加えて、ベルト部材１の内側面12に感圧接着剤を層着した両面テープを付着し、当該両面テープの剥離紙を剥ぎ取って柱体Ｐに巻き付けることにより、当該柱体に接着固定できるようにするという技術手段を採用する。
【００１１】
また、本発明は、上記課題を解決するために、必要に応じて上記手段に加え、ベルト部材１のチップ1a近傍に第１止め部13ａ、このベルト部材１を対象とする柱体Ｐに巻付けた際に前記第１止着部13ａが対向すべき当該ベルト部材の締め込み対向部位には第２止め部13ｂを各々設けて、これら第１止め部13ａと第２止め部13ｂとを締付部品３で互いに緊締できるように構成するという技術手段を採用する。
【００１２】
そしてまた、本発明は、前段の第１止め部13ａと第２止め部13ｂを設けるにあたって、ベルト部材１の第１止め部13ａを下縁近傍に形成する一方、第２止め部13ｂを上縁近傍に形成し、当該ベルト部材１を柱体Ｐの表面に螺旋状に巻き付けたとき、止着部材３を略水平レベルに取り付け易くするという技術的手段も採用できる。
【００１３】
猶また、本発明は、前段の第１止め部13ａと第２止め部13ｂを設けるにあたって、当該ベルト部材１における第１止め部13ａおよび第２止め部13ｂを、バンド状の締付部材３を掛止するための止孔に形成し、これら両孔に締付部品３を掛止して止着できるように構成するという技術手段も採用できる。
【００１４】
更にまた、本発明は、上記課題を解決するために、必要に応じて上記手段に加え、ベルト部材１の外側面11には小突起を多数形成し、張紙等の付着を防止することができるようにするという技術的手段も採用する。
【００１５】
次に、本発明は、上記課題を解決する方法的手段として、
合成樹脂又はゴム等の弾性素材から成る筒体Ａの胴周外面に反射材２′を螺旋状に付着する工程と、この反射材２′が螺旋状に付着した筒体Ａを当該胴周外面の反射材２′と反射材２′との間に沿ってコイル形に切開する工程とを経ることにより、元の筒体形状に復帰するカール癖を帯有し、かつ、外表面には略全長にわたる反射部２を備えたベルト部材１を製するという技術的手段を採用することによって、スパイラル巻着式注意喚起材の製造方法を完成させた。
【００１６】
他方また、本発明は、上記課題を解決する手段として、
胴周外面の所要部位に反射テープ２′が層着された合成樹脂又はゴム等の弾性素材から成る筒体Ａの前記胴周全長にわたって切開部Ｃをスパイラル状に刻設すると共に、この切開部Ｃに沿って当該筒体を切り裂くことによって、元の筒体形状に復帰するカール癖を帯有し、かつ、長尺の反射部２を外表面に備えたベルト部材１を製するという技術的手段を採用することによって、スパイラル巻着式注意喚起材の製造方法を完成させた。
【００１７】
更に、本発明は、上記課題を解決する手段として、
合成樹脂又はゴム等の弾性素材から成る筒体Ａの外表面周方向へ反射材２′を螺旋状に付着させる工程と、この反射材２′が螺旋状に付着した筒体Ａを当該胴周外面の反射材２′と反射材２′との間に沿ってコイル形に切開する工程と、コイル形に切開された長尺帯材の内側面に感圧接着剤が層着された両面テープを付着せしめる工程とを経由せしめることによって、元の筒体形状に復帰するカール癖を帯有し、かつ、長尺の反射部２を外側面に備えたベルト部材１を製するという技術的手段を採用することによって、スパイラル巻着式注意喚起材の製造方法を完成させた。
【００１８】
また、本発明は、上記課題を解決するために、必要に応じて上記手段に加え、柱体Ｐの径よりも小なる径を有する筒体Ａをスパイラル状に切開するという技術的手段も採用することができる。
【００１９】
更にまた、本発明は、上記課題を解決するために、必要に応じて上記手段に加え、テープ状の高輝度反射材２を筒体Ａの外側面の周方向に沿って螺旋状に付設した後、切断線に沿って当該筒体Ａを切開してベルト部材１を形成するという技術的手段も採用することができる。
【発明の効果】
【００２０】
しかして、本発明の提供する注意喚起材にあっては、合成樹脂又はゴム等の弾性素材で作製された長尺のベルト部材１の外側面11には反射部２を有し、かつ、前記外側面11を表側にして隣接する側辺同士が接近してスパイラル筒体形状を形成するごとくカール癖が付与されいるので、対象とする柱体Ｐにベルト部材１を螺旋状に巻き付けたときには、当該ベルト部材１の内側面12が当該柱体Ｐの表面にフィットして安定に添着させることができるのである。
【００２１】
また、本発明の注意喚起材において、ベルト部材１のチップ1a近傍に第１止め部13ａ、このベルト部材１を対象とする柱体Ｐに巻付けた際に前記第１止め部13ａが対向すべき当該ベルト部材の締め込み対向部位には第２止め部13ｂを各々設け、これら第１止め部13ａと第２止め部13ｂとを締付部品３で互いに緊締できるように構成した場合には、より一層安定に対象の柱体Ｐに固定することができる。
【００２２】
また、本発明の注意喚起材において、前記第１止め部13ａと第２止め部材13ｂに代え、ベルト部材１の内側面12には、感圧接着剤が層着された両面テープが付着されており、当該両面テープの剥離紙を剥ぎ取って柱体Ｐに巻き付けることにより、当該柱体に接着固定するという手段を採用することによっても安定に対象の柱体Ｐに固定することができる。      
【００２３】
このようにして、ベルト部材のカール状反曲する復元弾力を巧みに利用したことによって、柱体に対する密着性を高くすることができ、柱体からズリ落ちることもなく、一人での巻き付け作業も容易になるとともに、巻いてコンパクトに畳むことができ、運搬も非常に便利である。
【００２４】
また、本発明の製造方法にあっては、筒体を切断することによって、筒体のカール癖をそのまま利用することができるので、柱体への密着性と取付安定性の高いものを簡単に製造することができ、しかも、簡素な構造により製造コストを削減することも可能であることから、産業上の利用価値は頗る高いものと云える。
【発明を実施するための最良の形態】
【００２５】
以下、本発明の構成を具体的に図示した実施例に基いて、更に詳細に説明する。
【００２６】
本発明の実施例は、図１から図８に示される。図中、符号１で指示するものは半硬質の合成樹脂で作製された長尺のベルト部材であるが、必要に応じ使用材料の種類（例えば、ゴム等の弾性素材）や硬度、厚みなどを適宜選択することができるが、本実施形態では、このベルト部材１の使用材料として中密度のポリエチレン（ＰＥ）を採用している。
【００２７】
また、符号２で指示するものは反射部であり、本実施例においては球形のガラスビーズ等の再帰反射性を有する粒状物質を混入した周知の高輝度反射材２′が用いられており、運転者に対し自車のヘッドライト光を高輝度で反射させて注意を喚起する機能を有する。      
【００２８】
他方また、符号３で指示するものはバンド状の締付部品であり、ベルト部材１を柱体Ｐ（例えば、電柱）に固定可能にする部材である。
【００２９】
即ち、本発明は、柱体Ｐに巻き付けることによって運転者などに注意を喚起して衝突を防止するための用具であって、具体的には、合成樹脂等で作製された長尺のベルト部材１の外側面11には反射部２を備え、かつ、当該ベルト部材の隣接する側辺同士は復元弾力により互いに接近してスパイラル円筒形状に巻き付き絡まるようなカール癖が付与されている（図１参照）。なお、本実施例にあっては、ベルト部材１の外側面にテープ状の高輝度反射材を付着することによって反射部２が形成されている。
【００３０】
また、本実施例においては、ベルト部材１のチップ1a近傍に第１止め部13ａ、このベルト部材１を対象とする柱体Ｐに巻付けた際に前記第１止着部13ａが対向すべき当該ベルト部材の締め込み対向部位には第２止め部13ｂを各々設け、これら第１止め部13ａと第２止め部13ｂとを上記締付部品３によって互いに緊締できるように構成してある。
【００３１】
即ち、前記柱体Ｐにベルト部材１を図２に示すように螺旋状に巻き付けたときに、当該ベルト部材１の内側面12が前記柱体Ｐの表面にフィットして添着可能であると共に、前記ベルト部材１の第１止め部13ａおよび第２止め部13ｂとを締付部品３で連結して緊締止着することによってベルト部材１を固定することができるのである（図３参照）。
【００３２】
なお、本実施例においては、ベルト部材１の第１止め部13ａと第２止め部13ｂは、バンド状の締付部材３を繋ぎ止める止孔に形成してあり、これら両孔にバンド状の締付部品３を繋縛して止着固定する構成が採られている。
【００３３】
また、ベルト部材１の第１止め部13ａを下縁近傍に形成する一方、第２止め部13ｂを上縁近傍に形成しておくことにより、当該ベルト部材１を柱体Ｐの表面に螺旋状に巻き付けたとき、止着部材３は略水平状態に配置できるので、ベルト部材１の弛みを効果的に防止でき、しかも見栄えも良い。
【００３４】
そしてまた、ベルト部材１の外側面11に小突起を多数形成しておくと、見苦しいポスター類の張紙を防止することができる。同様の効果は、シリコーン系樹脂、シリコーン系オイル、ワックス系滑剤、フッ素系樹脂などを当該ベルト部材１の表面にコーティングしておくことによっても達成できる。
【００３５】
上記のように構成したベルト部材１を柱体Ｐに巻き付ける場合は、図２に示したように間隔を設けてもよいし、図４に示すように狭い巻き付け間隔であってもよい。なおまた、反射部２は、図５に示すように当該ベルト部材の幅方向に形成しておいてもよい。
【００３６】
つぎに、本実施例品を効率的に製造する方法を、図６〜図８に基いて以下に説明する。まず、図６に示す如く、合成樹脂から成る円筒体Ａ（直径約15cm）の胴周の全長にわたりスパイラル状の切開部Ｃ（約７cm間隔）を設ける。この円筒体Ａは押出成形などの周知の成形法によって作製されるが、成形に際して、対象となる柱体Ｐの径よりも当該円筒体Ａの径を小なる径に成形することによって、得られるベルト部材１の復元弾力による巻付力を向上させることができる。また、反射部２を形成する具体的手段としては、本実施例においては、図７に示すように、テープ状の高輝度反射材２′（テープ幅：19mm）を円筒体Ａの胴周外面に沿って螺旋状に付設しておくという方法を採用するものとする。
【００３７】
次いで、前記切開部Ｃに沿って当該円筒体Ａを切開する。この場合の切断は、円筒体Ａを回転かつ移動させながら固定したカッター体によって行ってもよいし、また、固定した円筒体Ａに対してカッター体を螺旋軌道に移動させて行ってもよい。
【００３８】
このようにして、元の円筒体Ａの形状に復帰するカール癖を備えた長尺のベルト部材１が得られる（図８参照）。
【００３９】
また、ベルト部材１のチップ1a近傍に第１止め部13ａと、このベルト部材１を対象とする柱体Ｐに巻付けた際に前記第１止着部13ａが対向すべき当該ベルト部材の締め込み対向部位とに第２止め部13ｂを各々設けておくと、対象とする電柱などの柱体Ｐに本実施例のベルト部材１を巻き付けたうえで、前記第１止め部13ａと第２止め部13ｂとを締付部品３で互いに緊締することにより、当該柱体にベルト部材１をシッカリと安定に固定することができる。なお、本実施例では、反射部２（高輝度反射力を有する）は、当該ベルト部材の長手方向に形成されているけれども、図５のように幅方向に設けることも可能である。      
【００４０】
本実施例においては、復元弾力によって反曲カールするベルト部材１は柱体に取り付ける際に、より高い密着度でフィットして柱体Ｐにスムースに巻き付けることができ、取付安定性が向上する。
【００４１】
具体的に云えば、本実施例は直径15cmの円筒体Ａを約７〜８cmの間隔でスパイラル状にカットすると共に、ベルト部材１の幅を76mm、高輝度反射材２′の幅を19mmとしたことにより、十分な巻付力と十分な注意喚起機能を発揮することができる。
【００４２】
また、高輝度反射材２′は、レンズとして作用する直径40〜90ミクロンの微小な高屈折ガラスビーズが一定の反射効果を発揮するように、結合樹脂の中に均一に多数分散されており、かつ、全体の厚みが100 〜 300ミクロンの薄く柔軟なシート状のものを採用するものとする。
【００４３】
このガラスビーズの一つ一つは、真円球で一種の凸レンズとして作用し、ヘッドライトなどの光源から入射した光は当該ガラス体を通り屈折して一点に焦点を結ぶため、球体底部に反射層を設け、再びガラス体を通ってもとの光源方向に帰されることにより、反射シート自体が光源体のように明るく浮かび上がるのである。
【００４４】
本発明は、概ね上記のように構成されるが、本発明は図示の実施形態に限定されるものでは決してなく、「特許請求の範囲」の記載内において種々の変更が可能であって、例えば、次に掲げる形式のスパイラル巻着式注意喚起材は当然に本発明の技術的範囲に属するものと云える。
(1) ベルト部材１の内側面12に、感圧接着剤を層着した両面テープを付着して、当該両面    テープの剥離紙を剥ぎ取って柱体Ｐに巻き付けることにより、当該柱体の周面に接着    可能に構成したスパイラル巻着式注意喚起材。
(2) ベルト部材１における前述の第１止め部13ａと第２止め部13ｂとに代え、当該ベルト    部材の該当位置にフック部を対設して、これら対応するフック部に締付部材３を繋留    するように構成したスパイラル巻着式注意喚起材。
(3) また、筒体形状は円筒形に限られず、対象とする柱体Ｐの外形にフィットするならば    多角筒に構成したスパイラル巻着式注意喚起材。
(3) また、ベルト部材１または高輝度反射材２、締付部材３の一部に光源ランプを配設し    たスパイラル巻着式注意喚起材。
【図面の簡単な説明】
【００４５】
【図１】本発明の実施例品を表わす全体斜視図である。
【図２】本発明の実施例品の使用状態を表わす正面図である。
【図３】本発明の実施例品の使用状態を表わす拡大正面図である。
【図４】本発明の実施例品の使用状態を表わす正面図である。
【図５】本発明の実施例品の使用状態を表わす正面図である。
【図６】本発明の実施例品を製造する工程を表わす説明斜視図である。
【図７】本発明の実施例品を製造する工程を表わす説明斜視図である。
【図８】本発明の実施例品を製造する工程を表わす説明斜視図である。
【符号の説明】
【００４６】
１    ベルト部材
11    外側面
12    内側面
13    止着部
13ａ    第１止め部
13ｂ    第２止め部
２      反射部
２′    高輝度反射材
３      締付部品
Ｐ      柱体
Ａ      筒体
【図１】
2006018088.tif 000003
【図２】
2006018088.tif 000004
【図３】
2006018088.tif 000005
【図４】
2006018088.tif 000006
【図５】
2006018088.tif 000007
【図６】
2006018088.tif 000008
【図７】
2006018088.tif 000009
【図８】
2006018088.tif 000010